(57)【要約】【課題】  本発明の目的は、電話機利用者自身が電話番号登録の設定を行なわなくとも、発着信が頻繁にあり利用頻度の高い電話番号を識別して自動的に電話帳登録を行なう。【解決手段】  所定の情報を表示する表示手段１２と、電話番号など各種の操作入力を受け付ける入力手段１３と、電話端末１０で発呼又は着呼する発呼電話番号情報又は着呼電話番号情報の通知を受けて呼処理実行する発着信手段１１とを有する電話端末１０において、  前記電話端末１０で発呼又は着呼する前期発呼電話番号情報又は前記着呼電話番号情報と、呼接続がなされた通話時間とに対応づけた識別子を１組のデータとして多数組みのデータとして整理するテーブルを作成し、前記テーブルのデータを基に発着信を頻繁に行なっている前期発呼電話番号情報又は前記着呼電話番号情報かを判別し、前記操作入力手段に対応するインデックス番号を新たに付加して前記テーブルに電話帳登録番号として記憶する手段を備える。【選択図】  図１
2007074410.tif 000002
【特許請求の範囲】
【請求項１】
所定の情報を表示する表示手段と、電話番号など各種の操作入力を受け付ける入力手段と、前記入力手段で入力された信号により公衆回線網に向けて発呼する発呼電話番号情報を発信手段と、前記公衆回線網を介して接続される相手側電話端末から送信された着呼電話番号情報の通知を受けて着呼の処理を実行する着信手段とを有する電話端末において、
前記電話端末の着呼又は発呼に際し、呼接続の開始から呼接続が中止されるまでの通話時間が閾値を満たすか否かを判断する判断部と、
前記通話時間が閾値を満たしたか否かと、着呼又は発呼時に取得する前記発呼電話番号情報又は前記着呼電話番号情報とに識別子を対応づけ１組のデータとして多数組みのデータとし、発呼及び着呼があった場合は新たに前記発呼電話番号情報又は前記着呼電話番号情報に識別子を対応づけ１組のデータとして多数組みのデータとして整理しておくためのテーブルを作成し記憶する記憶手段と、
着呼又は発呼時に取得する前記発呼電話番号情報又は前記着呼電話番号情報が前記テーブルに登録されているか否かを検索し、尚且つ各識別子が前記発呼電話番号情報又は前記着呼電話番号情報と対応づけられているかを参照し比較する比較手段とを備えることを特徴とする電話端末。
【請求項２】
請求項１の電話端末において、
前期記憶手段は、前記比較手段にて着呼又は発呼時に取得する前記発呼電話番号情報又は前記着呼電話番号情報が前記テーブルに登録されているか否かを検索し、同じ前記発呼電話番号情報又は前記着呼電話番号情報が前記テーブルに存在し尚且つ各識別子と対応づけられている場合、前記テーブルに記憶されている前記発呼電話番号情報又は前記着呼電話番号情報を読出し、前記操作入力手段に対応する数字を含むインデックス番号を付加し電話帳登録電話番号として前記テーブルに記憶することを特徴とする電話端末。
【請求項３】
所定の情報を表示する表示手段と、電話番号など各種の操作入力を受け付ける入力手段と、前記入力手段で入力された信号により公衆回線網に向けて発呼する発呼電話番号情報を発信手段と、前記公衆回線網を介して接続される相手側電話端末から送信された着呼電話番号情報の通知を受けて着呼の処理を実行する着信手段とを有する電話番号登録方法において、
前記電話端末の着呼又は発呼に際し、呼接続の開始から呼接続が中止されるまでの通話時間が閾値を満たすか否かを判断することと、
前記通話時間が閾値を満たしたか否かと、着呼又は発呼時に取得する前記発呼電話番号情報又は前記着呼電話番号情報とに識別子を対応づけ１組のデータとして多数組みのデータとし、発呼及び着呼があった場合は新たに前記発呼電話番号情報又は前記着呼電話番号情報に識別子を対応づけ１組のデータとして多数組みのデータとして整理しておくためのテーブルを作成し記憶することと、
着呼又は発呼時に取得する前記発呼電話番号情報又は前記着呼電話番号情報が前記テーブルに登録されているか否かを検索し、尚且つ各識別子が前記発呼電話番号情報又は前記着呼電話番号情報と対応づけられているかを参照し比較する比較手段とを備えることを特徴とする電話番号登録方法。
【請求項４】
請求項３の電話番号登録方法において、
前期記憶手段は、前記比較手段にて着呼又は発呼時に取得する前記発呼電話番号情報又は前記着呼電話番号情報が前記テーブルに登録されているか否かを検索し、同じ前記発呼電話番号情報又は前記着呼電話番号情報が前記テーブルに存在し尚且つ各識別子と対応づけられている場合、前記テーブルに記憶されている前記発呼電話番号情報又は前記着呼電話番号情報を読出し、前記操作入力手段に対応する数字を含むインデックス番号を付加し電話帳登録電話番号として前記テーブルに記憶することを特徴とする電話番号登録方法。
【発明の詳細な説明】
【技術分野】
【０００１】
この発明は、電話端末及び電話番号登録方法に関するものである。
【背景技術】
【０００２】
電話帳機能を有する電話端末において、ユーザが所定の操作を行なうことにより名前又は名称と電話番号を対応付けて記憶手段に記憶する電話端末と電話帳登録方法が特許文献１に開示されている。
特許文献１の電話機と電話帳登録方法は、ユーザの必要性に応じ所定の操作を行なうことにより、ユーザが必要とする電話番号に名前又は名称とを対応付けて任意に登録できることを開示している。
【特許文献１】特開２００２−１５２３６２号公報
【発明の開示】
【発明が解決しようとする課題】
【０００３】
ところが、前記した従来の電話端末と電話帳登録方法はユーザが電話端末に所定の操作を行なうため、電話番号に名前又は名称とを対応付けて任意に登録できる反面、頻繁に発着信を繰返す電話番号であっても記憶のための所定の操作を行なわなければならず利便性の向上が望まれていた。
従って本発明の目的は、利用頻度の高い電話番号をユーザが所定の操作を行なうことなく効率よく電話端末に電話番号登録を可能にすることを目的とする。
【課題を解決するための手段】
【０００４】
所定の情報を表示する表示手段と、電話番号など各種の操作入力を受け付ける入力手段と、前記入力手段で入力された信号により公衆回線網に向けて発呼する発呼電話番号情報を発信手段と、公衆回線網を介して接続される相手側電話端末から送信された着呼電話番号情報の通知を受けて着呼の処理を実行する着信手段とを有する電話端末において、
電話端末の着呼又は発呼に際し、呼接続の開始から呼接続が中止されるまでの通話時間が閾値を満たすか否かを判断する判断部と、
通話時間が閾値を満たしたか否かと、着呼又は発呼時に取得する発呼電話番号情報又は着呼電話番号情報とに識別子を対応づけ１組のデータとして多数組みのデータとし、発呼及び着呼があった場合は新たに発呼電話番号情報又は着呼電話番号情報に識別子を対応づけ１組のデータとして多数組みのデータとして整理しておくためのテーブルを作成し記憶する記憶手段と、
着呼又は発呼時に取得する発呼電話番号情報又は着呼電話番号情報がテーブルに登録されているか否かを検索し、尚且つ各識別子が発呼電話番号情報又は着呼電話番号情報と対応づけられているかを参照し比較する比較手段とを備えることを特徴とする。
【発明の効果】
【０００５】
発明の効果として、本発明の電話端末と電話番号登録方法によれば、
電話端末の着呼又は発呼に際し、呼接続の開始から呼接続が中止されるまでの通話時間が閾値を満たすか否かを判断し、判断結果と共に発呼電話番号情報又は着呼電話番号情報に識別子を対応づけ１組のデータとして多数組みのデータとして整理し、前記電話端末からの着呼又は発呼時に取得する発呼電話番号情報又は着呼電話番号情報がテーブルに登録されているか否かを検索し、尚且つ各識別子が発呼電話番号情報又は着呼電話番号情報と対応づけられているかを参照し比較することにより、同一の発呼電話番号情報又は着呼電話番号情報が前記テーブルに存在し尚且つ各識別子と対応づけられている場合は前記テーブルに記憶されている発呼電話番号情報又は着呼電話番号情報を読出し、前記操作入力手段に対応する数字を含むインデックス番号を付加して新たに前記テーブルに記憶することができる。
【発明を実施するための最良の形態】
【０００６】
本発明による電話端末及び電話番号登録方法の実施例は、添付図面を参照して詳細に説明される。
【実施例１】
【０００７】
以下、本発明の実施例について図面を参照して説明する。図１は、実施例１の電話端末の構成図である。この電話端末１０は、加入者回線や無線を介し公衆網２０と接続する装置であり、送受信部１１、表示部１２、操作部１３、制御部１４、カウント部１５、比較部１６、記憶部１７、判定部１８で構成される。
尚、本例において公衆網２０には電話端末１０の相手端である他の電話端末３０が収容されている。
【０００８】
送受信部１１は、着呼に際し相手側電話端末３０から通知される発信者番号や発信者名を含む着呼電話番号情報や呼接続に必要なテータを受信し、このデータを制御部１４に出力する。また、発呼に際しては相手側電話端末３０の電話番号を含む発呼電話番号情報や呼接続に必要なテータを制御部１４から入力し送信する機能部である。
表示部１２は、液晶ディスプレイなどであり、制御部１４から受け取った信号にしたがい文字や画像を表示する機能部である。
操作部１３は、電話番号を含む文字列を入力するためのテンキーなどからなり、これらテンキーより入力された電話番号等の入力情報を制御部４０に出力する機能部である。
制御部１４は、電話端末１０内部の制御を行なう機能部である。
カウント部１５は、制御部１４から出力される呼接続がなされたことを示す信号を受信すると、０を初期値として１秒毎にカウントアップし、そのカウントアップ値を判定部１８に通知する機能部である。
【０００９】
比較部１６は、制御部１４を介して送受信部１１で発着信する前期発呼電話番号情報又は前記着呼電話番号情報を受信し、記憶部１７のテーブルで管理されている電話番号情報と識別、前記カウントアップ値とを含むテーブルデータと比較し、比較結果と共に前記テーブルデータを判定部１８に出力する。
記憶部１７は、判定部１８から出力されるカウントアップ値と前期発呼電話番号情報又は前記着呼電話番号情報に識別子を対応づけ、１組のデータとして整理しておくためのテーブル（図３）を作成し記憶する機能部である。
判定部１８は、カウント部１５から出力されるカウントアップ値が予め設定された閾値を超えるか否かを判断し、判断結果と共に比較部１６から出力された比較結果と前期テーブルデータを併せて記憶部１７及び制御部１４に出力する機能部である。
【００１０】
図２を参照して本実施例の動作について詳細に説明する。
電話端末１０は、制御部１４の制御下にある送受信部１１を制御することで公衆網２０に接続し、電話端末３０からの着呼に応答する。また逆に、電話端末１０から電話端末３０へ発呼を行なったとき、電話端末１０と電話端末３０とが接続され通話が可能となる。
【００１１】
電話端末１０は、前記着呼電話番号情報を通知した電話端末３０から着呼すると送受信部１１にて前記着呼電話番号情報を含む呼接続に必要な情報を受信し制御部１４に出力する。
制御部１４は、送受信部１１から受信した呼接続に必要な情報を基に呼接続処理を行なうと共に、前記呼接続に必要な情報のうち前記着呼電話番号情報を比較部１６に出力する(ステップＳ１）。
比較部１６は、制御部１４から受信した前記着呼電話番号情報を記憶部１７の前記テーブルデータを参照し（ステップＳ２）、前記テーブルデータに該当する前記着呼電話番号情報があるか照合する（ステップＳ３）。
【００１２】
前記着呼電話番号情報に該当する前記テーブルデータが無い場合（ステップＡ３のＮｏ側）、電話機１０に着信があったことを示す識別子を前記着呼電話番号情報に対応づけて前記テーブルデータに追加し、制御部１４に該当番号なし及び登録終了を示す信号を出力して制御部１４は比較部１６から受信した信号を表示部１２に表示するよう指示し、表示部１２は制御部１４からの指示内容を表示し終了する（ステップＢ１）。
【００１３】
前記テーブルデータに該当する前記着呼電話番号情報があった場合（ステップＳ３のＹｅｓ側）、前記テーブルデータにインデックス番号が対応づけられ付与されているか確認を行なう（ステップＳ４）。付与されている場合（ステップＳ４のＹｅｓ側）、制御部１４に登録終了を示す信号を出力して終了する（ステップＢ２）。
前記テーブルデータにインデックス番号が対応づけられ付与されている場合（ステップＳ４のＮｏ側）、前記テーブルデータに前記電話端末１０が前記着呼電話番号情報に発呼したことがあるか否かの識別子が対応づけられ付与されているか確認を行なう（ステップＳ５）。
【００１４】
前記識別子が付与されていない場合（ステップＡ５のＮｏ側）、電話機１０に着信があったことを示す識別子を前記着呼電話番号情報に対応づけて前記テーブルデータに上書きし、登録終了を示す信号を制御部１４に出力して処理を終了する（ステップＢ３）。
前記テーブルデータに前記識別子が対応付けられている場合（ステップＳ５のＹｅｓ側）、前記テーブルデータにカウンター値が付与されているか確認を行なう（ステップＳ６）。
【００１５】
前記テーブルデータにカウンター値が付与されていない場合（ステップＳ６のＮｏ側）、
カウント部１５は制御部１４から出力される呼接続がなされたことを示す信号を受信し、０を初期値として１秒毎にカウントアップを開始する（ステップＳ７）。
前記テーブルデータにカウンター値が付与されている場合（ステップＳ６のＹｅｓ側）、カウント部１５は制御部１４から出力される呼接続がなされたことを示す信号を受信し、前記カウンター値を初期値として１秒毎にカウントアップを開始する（ステップＢ４）。
【００１６】
その後、カウント部１５は制御部１４から呼接続が切断されたことを示す信号を受信するとカウントアップを停止し、カウントアップされたカウントアップ値を判定部１８に出力する（ステップＳ８）。カウント部１５から出力された前記カウントアップ値を判定部１８が受信すると、予め設定された閾値を満たしているか否かを判定する（ステップＳ９）。  
閾値を満たさない場合（ステップＳ９のＮｏ側）、前記着呼電話番号情報に前記カウントアップ値を対応づけて前記テーブルデータに追加し、登録終了を示す信号を制御部１４に出力し終了する（ステップＢ５）。
閾値を満たす場合（ステップＳ９のＹｅｓ側）、操作部１３に対応する数字を含むインデックス番号を前記着呼電話番号情報に付加し対応づけて前記テーブルに追加し、前記発信者番号情報に付加したインデックス番号及び電話帳登録したことを示す信号を出力して制御部１４は比較部１６から受信した信号を表示部１２に表示するよう指示し、表示部１２は制御部１４からの指示内容を表示し終了する（ステップＳ１０）。
【００１７】
尚、本実施例では前期電話端末１０に着呼があった場合を示したが、発呼の場合も同様の方法により電話番号情報を電話帳登録することが可能である。
【図面の簡単な説明】
【００１８】
【図１】電話端末の構成図
【図２】電話端末の動作を示すフローチャート
【図３】記憶部に格納されているテーブルの論理的構成を例示する構成図
【符号の説明】
【００１９】
１０…電話端末、１１…送受信部、１２…表示部、１３…操作部、１４…制御部、１５…カウント部、１６…比較部、１７…記憶部、１８…判定部、２０…公衆網、３０…電話端末
【図１】
2007074410.tif 000003
【図２】
2007074410.tif 000004
【図３】
2007074410.tif 000005